(57)【特許請求の範囲】
【請求項１】
水道水を供給する本管と、該本管の水道水に水道水を中和する中和液を注入する注入管とを備える水道水の中和液注入装置において、
前記本管内に配置された羽根車と、
前記注入管内に配置された羽根車と、
前記本管および前記注入管の羽根車装着部の管壁の内外を貫通させずに配置された歯車と、を備え、
前記本管の羽根車の回転数を前記注入管の羽根車に歯車を介在させて本管の羽根車の回転数の増減に順応させて伝達するようにした水道水の増減順応型中和液注入装置。
【請求項２】
水道水を供給する本管と、該本管の水道水に水道水を中和する中和液を注入する注入管とを備える水道水の中和液注入装置において、
前記本管内および前記注入管内にそれぞれ羽根車を配置し、前記本管の羽根車と前記注入管の羽根車とは磁石板を介在させて、前記本管および前記注入管の羽根車装着部の管壁の内外を貫通させずに歯車を配置し、前記本管の羽根車の回転数を前記注入管の羽根車に前記歯車を介在させて前記本管の羽根車の回転数の増減に順応させて伝達するようにした水道水の増減順応型中和液注入装置。
【請求項３】
前記歯車は複数個の歯車からなる歯車群である請求項１または２記載の水道水の増減順応型中和液注
入装置。
【発明の詳細な説明】
【技術分野】
【０００１】
本発明は、水道水の増減順応型中和液注入装置に関し、特に、本管の羽根車と注入管の羽根車とは磁石板を介在させて、本管および注入管の羽根車装着部の管壁の内外を貫通させずに歯車群を配置し、液漏れがないようにしたものである。
【背景技術】
【０００２】
従来、洗浄機能付き便座に供給する水には、水道水が直接使用されていた。
【０００３】
しかし、水道水には殺菌用の塩素（カルキ）が投入されており、このカルキの人体に及ぼす影響について安全が考慮されていないという問題があった。塩素は炭化水素と反応し、発ガン性物質トリハロメタンを生成するなどの危険性を有していることが指摘されている。
【０００４】
そこで、最近では水道水の塩素を除去する方法として、活性炭を用い塩素を吸着させる装置が提案されている。
【０００５】
また、工業的には水道水の塩素中和装置として、亜硫酸ナトリウムをポンプにより添加する方法が用いられているが、装置が大掛かりになり、家庭用や洗浄機能付き便座用としては設置できないという問題があった。
【特許文献１】特開２００４−２３８９５５号公報
【発明の開示】
【発明が解決しようとする課題】
【０００６】
洗浄機能付き便器の使用者の安全を確保するために、危険因子の一つである殺菌用塩素（カルキ）を中和する水道水の中和液注入装置が開発されようとしている。
【０００７】
図５に、従来工業的一般に使用されている液体注入装置を示す。
【０００８】
本管１０４には流量計１１２が設けられ、流量計１１２からの水道水の流量の電気信号により制御装置１１３を作動させ、ポンプ１０９を駆動して貯留槽１０３の液体を本管１０４に供給する。
【０００９】
従来の活性炭により塩素を吸着するものでは、塩素を吸着する機能が長時間持続せず、定期的に交換する必要がある。
【００１０】
また、従来の工業的一般に使用されている液体注入装置では、装置が大掛かりで洗浄機能付き便座には使用しにくい。
【課題を解決するための手段】
【００１１】
本発明は、上記の事情に鑑み、塩素除去を長期間にわたり持続させることができ、簡単な構成で、安価で容易に実施できる液体注入装置を提供すべく、水道水を供給する本管と、本管の水道水に水道水を中和する中和液を注入する注入管とを備える水道水の中和液注入装置において、本管内に配置された羽根車と、注入管内に配置された羽根車と、本管および注入管の羽根車装着部の管壁の内外を貫通させずに配置された歯車と、を備え、本管の羽根車の回転数を注入管の羽根車に歯車を介在させて本管の羽根車の回転数の増減に順応させて伝達するようにした水道水の増減順応型中和液注入装置とした。
【００１２】
また、本発明は、水道水を供給する本管と、該本管の水道水に水道水を中和する中和液を注入する注入管とを備える水道水の中和液注入装置において、本管内および注入管内にそれぞれ羽根車を配置し、本管の羽根車と注入管の羽根車とは磁石板を介在させて、本管および注入管の羽根車装着部の管壁の内外を貫通させずに歯車を配置し、本管の羽根車の回転数を注入管の羽根車に歯車を介在させて本管の羽根車の回転数の増減に順応させて伝達するようにした水道水の増減順応型中和液注入装置とした。
【００１３】
さらに、本発明は、具体的には、歯車は複数個の歯車からなる歯車群である水道水の増減順応型中和液注入装置とした。
【発明の効果】
【００１４】
本発明は、水道水を供給する本管と、本管の水道水に水道水を中和する中和液を注入する注入管とを備える水道水の中和液注入装置において、本管内に配置された羽根車と、注入管内に配置された羽根車と、本管および注入管の羽根車装着部の管壁の内外を貫通させずに配置された歯車と、を備え、本管の羽根車の回転数を注入管の羽根車に歯車を介在させて本管の羽根車の回転数の増減に順応させて伝達するようにしたので、長期間にわたり塩素除去を持続することができ、簡単な構成で、安価で容易に実施できるとともに、液漏れがないようにした水道水の増減順応型中和液注入装置を提供することができる。
【００１５】
また、本発明は、具体的には本管の羽根車と注入管の羽根車とは磁石板を介在させて、本管および注入管の羽根車装着部の管壁の内外を貫通させずに歯車を配置し、液漏れがないようにした水道水の増減順応型中和液注入装置とした。
【００１６】
さらに、本発明は、具体的には、歯車は複数個の歯車からなる歯車群である水道水の増減順応型中和液注入装置とした。
【発明を実施するための最良の形態】
【００１７】
本発明の具体的な一実施例を図１に示す。
【００１８】
符号１が洗浄機能付き便器、符号２が攪拌槽、符号３が亜硫酸ナトリウム貯留タンクである。
【００１９】
水道水は、本管４の羽根車１４を経由して攪拌槽２に流入する。亜硫酸ナトリウム貯留タンク３のポンプ９の機能により亜硫酸ナトリウムが攪拌槽２に送られ、攪拌槽２は内部にスクリューが収納されていて、このスクリューを回転させて水道水と亜硫酸ナトリウムとを混合させ、水道水の塩素を除去する。
【００２０】
洗浄機能付き便器１に供給される水は水道水（上水道）であるため、殺菌用の塩素が含まれている。しかるにこの塩素は人体にとって有害に働く可能性があるため、散水口１０の直前に水道水を一時滞留する攪拌槽２を設け、亜硫酸ナトリウムを添加することで塩素を除去し、人体に及ぼす影響を排除する。符号１１は散水制御部である。
【００２１】
符号１２は注入管１５からの中和液の本管４内の流入を許し、本管４の水道水の注入管１５への流入を防止する逆止弁である。
【００２２】
なお、添加する亜硫酸ナトリウムは、必ずしも液状である必要はなく、一体サイズに揃えた結晶を数量管理または重量管理しつつ添加する方法も考えられる。
【００２３】
亜硫酸ナトリウム貯留タンク３の亜硫酸ナトリウムを本管４に供給する注入管１５内に羽根車１６を配置する。
【００２４】
本管４の羽根車１４と注入管１５の羽根車１６との間には、水道水の流量による羽根車１４の回転数を制御して伝達する歯車群３３を設ける。
【００２５】
歯車群３３による羽根車１４の羽根車１６への伝達は、従来の「比例制御」でなく、「増減順応型制御」である。「比例制御」は、水道水の流量が２倍になったら中和液の流量も２倍、水道水の流量が３倍になったら中和液の流量も３倍になる関係をいう。
【００２６】
ここでいう「増減順応型制御」とは、水道水の流量が２倍になったら中和液の流量が例えば１．９倍になったり、水道水の流量が０．７倍になったら中和液の流量が０．６倍になったり、水道水の流量に中和液の流量は比例的に制御されないが、水道水の流量が増加すると中和液の流量も増加し、水道水の流量が減少すると中和液の流量も減少することをいう。なお、ここでいう中和とは、「酸・アルカリの中和」ではなく、「塩素の中和」を意味する。
【００２７】
比較的精度を要しない中和液の注入装置には、「増減順応型制御」でよく、安価で容易に実施できることとなる。
【００２８】
なお、歯車群３３を構成する各歯車１７等が決定されると、羽根車１４の回転数の羽根車１６への伝達回転数の割合は決定する。
【００２９】
歯車群３３は、本管４や注水管１５外に配置されるので、歯車群３３と羽根車１４、羽根車１６との連結にシャフトを用いると送水壁を貫通することとなり、その部分をシールする必要が生じる。したがって、シャフトが貫通する送水壁から液漏れのおそれがある。 
【００３０】
液漏れを防止するために、本管４の羽根車１４と注入管１５の羽根車１６とは、図２に示すように磁石板１８、磁石板１９を介して管壁２０に装着する。本管４や注水管１５に磁石板１８、磁石板１９が装着しやすいように、平面状の隔壁２０を用いることができる。
【００３１】
図３に、本管１４内に配置する羽根車１４と磁石板１８、磁石板１９との関係の一例を示す。
【００３２】
隔壁２０から突出した支持軸２１に羽根車１４を嵌める。羽根車１４の基板部２２には磁石板１８が内蔵されている。一方、隔壁２０の反対側には磁石板１９を当接させ、羽根車１４は磁石板１８と磁石板１９とにより隔壁２０に磁着される。
【００３３】
磁石板１９中心の支持穴２３に歯車群３３の歯車とシャフトにより連結する。
【００３４】
注入管１５の羽根車１６と歯車群３３との連結も前記と同様にして行う。
【００３５】
本管４の途中に羽根車１４を装着する。本管４の管壁をシャフトで貫通させると、液漏れのおそれがあるため、シャフトで管壁を貫通させずに、本管４内の磁石板１８を有する羽根車１４を管壁外の磁石板１９を、羽根車１４の回転に伴って磁石板１９を回転させ、磁石板１９に起立させたシャフトにより歯車１７、歯車群３３を回転させ、歯車群３３の終端の歯車１７に起立させたシャフトにより注入管１５の羽根車１６を回転するものである。
【００３６】
上記を実現させるために、図４に示すように、本管４の途中に立方体状のボックス３１を設ける。このボックス３１の上壁が図２、図３に示す隔壁２０で、隔壁２０からボックス３１内に向けて支持軸２１を突出させ、支持軸２１に羽根車１４を嵌めている。一方、隔壁２０の羽根車１４に対向する外面には磁石板１９を当接させ、羽根車１４は磁石板１８と磁石板１９とにより隔壁２０に磁着され、水道水流による羽根車１４の回転は磁石板１８により隔壁２０外の磁石板１９に伝達される。
【００３７】
磁石板１９の支持穴２３にシャフト３２を起立させ、このシャフト３２を歯車群３３の始端の歯車１７に連結すると、羽根車１４の回転は歯車群３３に伝達される。
【００３８】
歯車群３３に伝達された動力は、歯車群３３の終端の歯車１７から前記と同様にして注入管１５羽根車１６に伝達される。
【００３９】
本管４の羽根車１４の回転の伝達を、歯車による例について述べたが、「プーリーとベルト」による動力伝達、「タイミングベルトとタイミングベルト用プーリー」による動力伝達を用いることもできる。
【００４０】
中和液として亜硫酸ナトリウムについて述べたが、チオ硫酸ナトリウム、ビタミンＣ（アスコルビン酸）を中和液として使用することもできる。
【産業上の利用可能性】
【００４１】
本発明は、水道水の中和液注入装置に磁石板を介在させて送水管の内外を貫通孔を存在させずに羽根車を装着できたが、水道水だけでなく他の流体にも利用できる。
【図面の簡単な説明】
【００４２】
【図１】本発明が適用される具体的な一実施例の概要を示す模式図である。
【図２】本発明の要部を示す模式図である。
【図３】本発明の要部を示す斜視図である。
【図４】本発明の羽根車を本管に装着する要領を示す斜視図である。
【図５】従来の工業的一般に使用されている液体注入装置を示す図である。
【符号の説明】
【００４３】
４…本管
１５…注入管
１４…羽根車
１６…羽根車
１８…磁石板
１９…磁石板
１７…歯車
３３…歯車群
【図１】
0004743614.tif 000002
【図２】
0004743614.tif 000003
【図３】
0004743614.tif 000004
【図４】
0004743614.tif 000005
【図５】
0004743614.tif 000006